(57)【要約】      （修正有）【課題】フレキシブル表示パネルの屈曲による弊害を回避させた表示装置の提供。【解決手段】箱状の機器本体ＭＣと、この機器本体に一端辺が回転可能に接続される表示部ＰＤとを具備し、前記表示部は、前記機器本体側から、回転可能に順次連結された第１筐体ＦＲ１、第２筐体ＦＲ２、第３筐体ＦＲ３と、これら前記第１筐体、第２筐体、第３筐体上に配置されたフレキシブル表示パネルＰＮＬとから構成され、前記フレキシブル表示パネルを第１筐体、第２筐体、第３筐体と、前記機器本体の第１表面ＳＦ１、第２側面ＳＤ２、第２表面ＳＦ２に対向させて配置させることにより、前記フレキシブル表示パネルを前記機器本体と前記１筐体、第２筐体、第３筐体との間に配置される状態で固定する。【選択図】図１
2010256660.tif 000002
【特許請求の範囲】
【請求項１】
箱状の機器本体と、この機器本体に一端辺が回転可能に接続される表示部とを具備し、
前記表示部は、前記機器本体側から、回転可能に順次連結された第１筐体、第２筐体、第３筐体と、前記第１筐体と前記第２筐体と前記第３筐体とに跨って、これら筐体上に配置された湾曲可能なフレキシブル表示パネルとから構成され、
前記機器本体は、その一つの面である第１表面と、前記第１表面と対向する第２表面と、前記第１表面と前記第２表面との間の面のうち一つのである第１側面と、前記第１側面と対向する第２側面とを有し、
前記表示部の配置状態は、切替可能な第１の配置状態と第２の配置状態とを有し、
前記第１の配置状態は、前記フレキシブル表示パネルの前記第２筐体上の部分が平面状に配置され、
前記第２の配置状態は、前記第１筐体、前記第２筐体、前記第３筐体を、それぞれ、前記機器本体の前記第１表面、前記第２側面、前記第２表面に対向させて配置させることにより、前記フレキシブル表示パネルが前記機器本体と前記１筐体、前記第２筐体、前記第３筐体との間に配置され、
前記表示部の前記機器本体への接続端辺と交差する方向を第１方向とした場合、前記第２の配置状態において、前記第２筐体は、前記フレキシブル表示パネルと対向する面が前記第１方向に沿って底部を有する凹面となっているとともに、前記機器本体の前記第２側面は前記第２筐体の前記凹面に対応した凸面を有し、前記フレキシブル表示パネルの前記第２筐体上の部分は湾曲して配置され、
少なくとも前記第２の配置状態において、前記フレキシブル表示パネルの前記第１筐体上の一方の端辺及び前記フレキシブル表示パネルの第３筐体上の他方の端辺は、前記フレキシブル表示パネルの前記第２筐体上の部分の湾曲方向とは反対側に、前記第１方向に沿って湾曲していることを特徴とする液晶表示装置。
【請求項２】
箱状の機器本体と、この機器本体に接続された湾曲可能なフレキシブル表示パネルとを具備し、
前記フレキシブル表示パネルを前記機器本体に回巻させ、前記フレキシブル表示パネルの前記機器本体の接続部と反対側の他端を前記接続部に近接させて配置させる配置状態を取り得ることができ、
前記機器本体は、その一つの面である第１表面と、前記第１表面と対向する第２表面と、前記第１表面と前記第２表面との間の面のうち一つのである第１側面と、前記第１側面と対向する第２側面とを有し、
前記フレキシブル表示パネルの機器本体への接続端辺に沿った方向を第１方向とした場合、
前記機器本体の前記第１側面および前記第２側面は、それぞれ、前記第１方向に沿って頂部を有する凸面となっており、
前記機器本体は前記第１方向に延在して形成された突起部を有し、
前記配置状態において、前記フレキシブル表示パネルの前記接続部と前記他端の配置箇所は前記突起部であり、
前記突起部は、前記配置状態の前記フレキシブル表示パネルが対向する側壁面に、前記第１方向に沿って底部を有する凹面が形成されていることを特徴とする表示装置。
【請求項３】
前記突起部は、機器本体において前記第１表面に形成されていることを特徴とする請求項２に記載の表示装置。
【請求項４】
前記突起部は、機器本体において第２側面に形成されていることを特徴とする請求項２に記載の表示装置。
【請求項５】
箱状の第１機器本体と、一端辺において前記第１機器本体に回転可能に接続される湾曲可能なフレキシブル表示パネルと、このフレキシブル表示パネルの観察する側の面を第１面とし前記第１面と反対側の面を第２面とした場合、前記フレキシブル表示パネルの他端部の第２面に固定された箱状の第２機器本体とを具備し、
前記第１機器本体は、その一つの面である第１表面と、前記第１表面と対向する第２表面と、前記第１表面と前記第２表面との間の面のうち一つのである第１側面と、前記第１側面と対向する第２側面とを有し、
前記第２機器本体は、前記フレキシブル表示パネルを固定する面である第３表面と、前記第３表面と対向する第４表面と、前記第３表面と前記第４表面との間の面のうち前記フレキシブル表示パネルの他端側第３側面と、前記第３側面と対向する第４側面とを有し、
前記フレキシブル表示パネルの前記第１面は、前記第１機器本体側から、前記第１表面、前記第２側面、前記第２表面に接し、前記フレキシブル表示パネルの前記第２面は、前記第２機器本体の前記第３側面、前記第４表面に接して前記第２機器本体が前記第１機器本体に重なって配置される配置状態を取り得ることができ、
前記フレキシブル表示パネルの前記第１機器本体に接続される前記一端辺に沿った方向を第１方向とした場合、前記第１機器本体の前記第２側面、および前記第２機器本体の前記第４側面は、それぞれ、前記第１方向に沿って頂部を有する凸面となっていることを特徴とする表示装置。
【請求項６】
箱状の機器本体と、この機器本体に一端辺が接続された湾曲可能なフレキシブル表示パネルと、前記機器本体に回転可能に取り付けられたカバーとを具備し、
前記機器本体は、その一つの面である第１表面と、前記第１表面と対向する第２表面と、前記第１表面と前記第２表面との間の面のうち一つのである第１側面と、前記第１側面と対向する第２側面とを有し、
前記フレキシブル表示パネルの機器本体への接続端辺に沿った方向を第１方向とした場合、
前記機器本体の前記第１表面と前記第２表面は、それぞれ、前記第１方向に沿った底部を有する凹面が形成され、前記第２側面は、前記第１方向に沿った頂部を有する凸面が形成され、
前記フレキシブル表示パネルは、その一端において前記機器本体の前記第１表面と前記第１側面の境界部に接続され、前記第１表面、前記第２側面、前記第２表面に沿って前記機器本体を巻き込んで配置し得る配置状態を取り得ることができ、
前記カバーは、前記機器本体側から、回転可能に順次連結された第１カバー部、第２カバー部、第３カバー部を備え、それぞれ、前記機器本体の第１表面、第２側面、第２表面と対向して配置できるとともに、前記第２カバー部は前記第２側面の凸面に対応した凹面を有して形成されていることを特徴とする表示装置。
【請求項７】
フレキシブル表示パネルは反射型の液晶表示パネルからなることを特徴とする請求項１ないし６のいずれか記載の表示装置。
【請求項８】
フレキシブル表示パネルは有機ＥＬ表示パネルからなることを特徴とする請求項１ないし６のいずれか記載の表示装置。
【請求項９】
フレキシブル表示パネルは電子ペーパーからなることを特徴とする請求項１ないし６のいずれか記載の表示装置。
【発明の詳細な説明】
【技術分野】
【０００１】
本発明は表示装置に係り、特に、フレキシブルな表示パネルを備える表示装置に関する。
【背景技術】
【０００２】
たとえば、液晶表示パネルは、液晶を挟持して対向配置される一対の基板を外囲器としている。液晶は一対の基板の間に形成される環状のシール材によって封止され、該シール材によって囲まれた領域には前記液晶を一構成要素とする多数の画素が形成されて構成されている。
【０００３】
また、近年、液晶表示パネルの外囲器を構成する一対の基板は、たとえばガラスに代えて、たとえば樹脂等のフレキシブルな材料で形成したものが知られるに至っている。これにより、液晶表示パネルは、軽量で、落下させても破損することのない構成とすることができる。
【０００４】
そして、液晶表示パネル自体を湾曲可能に、即ちフレキシブルにできる特徴を活かし（以下、このような表示パネルをフレキシブル表示パネルと称する場合がある）、たとえば下記特許文献１に示すように、フレキシブル表示パネルを折り畳みできるように構成したもの、あるいは特許文献２に示すように、フレキシブル表示パネルを機器本体に巻き込むようにして配置できるように構成したものが知られている。このような液晶表示パネルは、当該液晶表示パネルを観察する際に広げられた状態で用いられ、当該液晶表示パネルを観察していない間は折り込んで収納される状態にできるようになっている。
【先行技術文献】
【特許文献】
【０００５】
【特許文献１】特開２００４−１１８８０３号公報
【特許文献２】国際公開ＷＯ２００８／１０８６４５Ａ1号公報
【発明の概要】
【発明が解決しようとする課題】
【０００６】
しかし、液晶表示パネルは、上述したように、対向配置される一対の基板を外囲器とすることから、この外囲器を折り込んだり、湾曲させたりした場合に、一方の基板の伸びに対し他方の基板の伸びが大きく異なるようになる。
【０００７】
このことは、これら基板のずれによってシール材等に大きな力が加わり、該シール材に剥がれが生じる等の不都合を免れ得ないものとなる。
【０００８】
特に、液晶表示パネルを湾曲等させる状態は、液晶表示パネルの収納時であり、液晶表示パネルを広げて用いる状態よりも時間的に著しく長くなってしまうことを考慮すると、上述した弊害は深刻なものとして把握される。
【０００９】
本発明の目的は、湾曲可能なフレキシブル表示パネルの屈曲による弊害を回避させた表示装置を提供することにある。
【課題を解決するための手段】
【００１０】
本発明の表示装置は、そのフレキシブル表示パネルを一方の面において凸面となるように湾曲させる場合、同じ一方の面の異なる箇所において凹面となるように湾曲させるようにすることによって、一方の湾曲による弊害を他方の湾曲によって相殺させる構成とするようにしたものである。
【００１１】
本発明の構成は、たとえば、以下のようなものとすることができる。
【００１２】
（１）本発明の表示装置は、箱状の機器本体と、この機器本体に一端辺が回転可能に接続される表示部とを具備し、
前記表示部は、前記機器本体側から、回転可能に順次連結された第１筐体、第２筐体、第３筐体と、前記第１筐体と前記第２筐体と前記第３筐体とに跨って、これら筐体上に配置された湾曲可能なフレキシブル表示パネルとから構成され、
前記機器本体は、その一つの面である第１表面と、前記第１表面と対向する第２表面と、前記第１表面と前記第２表面との間の面のうち一つのである第１側面と、前記第１側面と対向する第２側面とを有し、
前記表示部の配置状態は、切替可能な第１の配置状態と第２の配置状態とを有し、
前記第１の配置状態は、前記フレキシブル表示パネルの前記第２筐体上の部分が平面状に配置され、
前記第２の配置状態は、前記第１筐体、前記第２筐体、前記第３筐体を、それぞれ、前記機器本体の前記第１表面、前記第２側面、前記第２表面に対向させて配置させることにより、前記フレキシブル表示パネルが前記機器本体と前記１筐体、前記第２筐体、前記第３筐体との間に配置され、
前記表示部の前記機器本体への接続端辺と交差する方向を第１方向とした場合、前記第２の配置状態において、前記第２筐体は、前記フレキシブル表示パネルと対向する面が前記第１方向に沿って底部を有する凹面となっているとともに、前記機器本体の前記第２側面は前記第２筐体の前記凹面に対応した凸面を有し、前記フレキシブル表示パネルの前記第２筐体上の部分は湾曲して配置され、
少なくとも前記第２の配置状態において、前記フレキシブル表示パネルの前記第１筐体上の一方の端辺及び前記フレキシブル表示パネルの第３筐体上の他方の端辺は、前記フレキシブル表示パネルの前記第２筐体上の部分の湾曲方向とは反対側に、前記第１方向に沿って湾曲していることを特徴とする。
【００１３】
（２）本発明の表示装置は、箱状の機器本体と、この機器本体に接続された湾曲可能なフレキシブル表示パネルとを具備し、
前記フレキシブル表示パネルを前記機器本体に回巻させ、前記フレキシブル表示パネルの前記機器本体の接続部と反対側の他端を前記接続部に近接させて配置させる配置状態を取り得ることができ、
前記機器本体は、その一つの面である第１表面と、前記第１表面と対向する第２表面と、前記第１表面と前記第２表面との間の面のうち一つのである第１側面と、前記第１側面と対向する第２側面とを有し、
前記フレキシブル表示パネルの機器本体への接続端辺に沿った方向を第１方向とした場合、
前記機器本体の前記第１側面および前記第２側面は、それぞれ、前記第１方向に沿って頂部を有する凸面となっており、
前記機器本体は前記第１方向に延在して形成された突起部を有し、
前記配置状態において、前記フレキシブル表示パネルの前記接続部と前記他端の配置箇所は前記突起部であり、
前記突起部は、前記配置状態の前記フレキシブル表示パネルが対向する側壁面に、前記第１方向に沿って底部を有する凹面が形成されていることを特徴とする。
【００１４】
（３）本発明の表示装置は、（２）において、前記突起部は、機器本体において前記第１表面に形成されていることを特徴とする。
【００１５】
（４）本発明の表示装置は、（２）において、前記突起部は、機器本体において第２側面に形成されていることを特徴とする請求項２に記載の表示装置。
【００１６】
（５）本発明の表示装置は、箱状の第１機器本体と、一端辺において前記第１機器本体に回転可能に接続される湾曲可能なフレキシブル表示パネルと、このフレキシブル表示パネルの観察する側の面を第１面とし前記第１面と反対側の面を第２面とした場合、前記フレキシブル表示パネルの他端部の第２面に固定された箱状の第２機器本体とを具備し、
前記第１機器本体は、その一つの面である第１表面と、前記第１表面と対向する第２表面と、前記第１表面と前記第２表面との間の面のうち一つのである第１側面と、前記第１側面と対向する第２側面とを有し、
前記第２機器本体は、前記フレキシブル表示パネルを固定する面である第３表面と、前記第３表面と対向する第４表面と、前記第３表面と前記第４表面との間の面のうち前記フレキシブル表示パネルの他端側第３側面と、前記第３側面と対向する第４側面とを有し、
前記フレキシブル表示パネルの前記第１面は、前記第１機器本体側から、前記第１表面、前記第２側面、前記第２表面に接し、前記フレキシブル表示パネルの前記第２面は、前記第２機器本体の前記第３側面、前記第４表面に接して前記第２機器本体が前記第１機器本体に重なって配置される配置状態を取り得ることができ、
前記フレキシブル表示パネルの前記第１機器本体に接続される前記一端辺に沿った方向を第１方向とした場合、前記第１機器本体の前記第２側面、および前記第２機器本体の前記第４側面は、それぞれ、前記第１方向に沿って頂部を有する凸面となっていることを特徴とする。
【００１７】
（６）本発明の表示装置は、箱状の機器本体と、この機器本体に一端辺が接続された湾曲可能なフレキシブル表示パネルと、前記機器本体に回転可能に取り付けられたカバーとを具備し、
前記機器本体は、その一つの面である第１表面と、前記第１表面と対向する第２表面と、前記第１表面と前記第２表面との間の面のうち一つのである第１側面と、前記第１側面と対向する第２側面とを有し、
前記フレキシブル表示パネルの機器本体への接続端辺に沿った方向を第１方向とした場合、
前記機器本体の前記第１表面と前記第２表面は、それぞれ、前記第１方向に沿った底部を有する凹面が形成され、前記第２側面は、前記第１方向に沿った頂部を有する凸面が形成され、
前記フレキシブル表示パネルは、その一端において前記機器本体の前記第１表面と前記第１側面の境界部に接続され、前記第１表面、前記第２側面、前記第２表面に沿って前記機器本体を巻き込んで配置し得る配置状態を取り得ることができ、
前記カバーは、前記機器本体側から、回転可能に順次連結された第１カバー部、第２カバー部、第３カバー部を備え、それぞれ、前記機器本体の第１表面、第２側面、第２表面と対向して配置できるとともに、前記第２カバー部は前記第２側面の凸面に対応した凹面を有して形成されていることを特徴とする。
【００１８】
（７）本発明の表示装置は、（１）ないし（６）のいずれかにおいて、フレキシブル表示パネルは反射型の液晶表示パネルからなることを特徴とする。
【００１９】
（８）本発明の表示装置は、（１）ないし（６）のいずれかにおいて、フレキシブル表示パネルは有機ＥＬ表示パネルからなることを特徴とする。
【００２０】
（９）本発明の表示装置は、（１）ないし（６）のいずれかにおいて、フレキシブル表示パネルは電子ペーパーからなることを特徴とする。
【００２１】
なお、上記した構成はあくまで一例であり、本発明は、技術思想を逸脱しない範囲内で適宜変更が可能である。また、上記した構成以外の本発明の構成の例は、本願明細書全体の記載または図面から明らかにされる。
【発明の効果】
【００２２】
上述した表示装置によれば、フレキシブル表示パネルの屈曲による弊害を回避させることができる。
【００２３】
本発明のその他の効果については、明細書全体の記載から明らかにされる。
【図面の簡単な説明】
【００２４】
【図１】本発明の表示装置の実施例１を示す構成図である。
【図２】本発明の表示装置の実施例２を示す構成図で、フレキシブルな液晶表示パネルの断面を示す図である。
【図３】本発明の表示装置の実施例３を示す構成図である。
【図４】本発明の表示装置の実施例４を示す構成図である。
【図５】本発明の表示装置の実施例５を示す構成図である。
【図６】本発明の表示装置の実施例６を示す構成図である。
【発明を実施するための形態】
【００２５】
本発明の実施例を図面を参照しながら説明する。なお、各図および各実施例において、同一または類似の構成要素には同じ符号を付し、説明を省略する。
【実施例１】
【００２６】
図１（ａ）、（ｂ）は、本発明の表示装置の実施例１を示す構成図である。図１（ａ）はフレキシブル表示パネルを広げた状態を示す斜視図、図１（ｂ）はフレキシブル表示パネルを収納させた状態を示す断面図を示している。
【００２７】
図１（ａ）において、表示装置は、機器本体ＭＣと、この機器本体ＭＣに一端辺が回転可能に接続される表示部ＤＰとで構成されている。
【００２８】
機器本体ＭＣは、箱状からなり、後述するフレキシブル表示パネルＦＰＬの各画素を駆動させるための制御回路（図示せず）、およびこの制御回路に電源を供給するための電源（図示せず）等が内蔵されている。機器本体ＭＣにおいて、その一つの面を第１表面ＳＦ１、この第１表面と対向する面を第２表面、前記第１表面と前記第２表面との間の面のうち一つの面を第１側面ＳＤ１、この第１側面と対向する面を第２側面ＳＤ２とした場合、前記表示部ＤＰは、前駆機器本体ＭＣの第１表面ＳＦ１と第１側面ＳＤ１の境界部に回転機構（図示せず）を介して取り付けられている。また、機器本体ＭＣは、前記第１側面ＳＤ１、第２側面ＳＤ２において、前記表示部ＤＰの前記機器本体ＭＣへの接続端辺に並行な方向（図中ｙ方向：この明細書において第１方向と称する場合がある）に沿って頂部を有する凸面となっている。この場合、前記第１側壁面ＳＤ１は上述のような凸面でなく、平面であってもよい。
【００２９】
前記表示部ＤＰは、前記機器本体ＭＣ側から、図中ｘ方向へ、回転可能に順次連結された第１筐体ＦＲ１、第２筐体ＦＲ２、第３筐体ＦＲ３と、これら第１筐体ＦＲ１、第２筐体ＦＲ２、第３筐体ＦＲ３上に配置されたフレキシブル表示パネルＤＰとから構成されている。
【００３０】
第１筐体ＦＲ１、第２筐体ＦＲ２、第３筐体ＦＲ３は、図１（ａ）に示すように、それらの表面が機器本体ＭＣの前記第１表面を含む面とほぼ同一の面内に位置づけられる状態を取り得るようになっている。機器本体ＭＣと第１筐体ＦＲ１とを連結する回転機構、第１筐体ＦＲ１と第２筐体ＦＲ２とを連結する回転機構、第２筐体ＦＲ２と第３筐体ＦＲ３とを連結する回転機構において、それぞれ隣接する筐体同士の回転規制を図る手段を設けることによって、図１（ａ）に示す状態を容易に作り得る。この場合、第１筐体ＦＲ１、第２筐体ＦＲ２、第３筐体ＦＲ３上に配置されているフレキシブル表示パネルＤＰは、表示面が平坦化され、観察できる状態となる。フレキシブル表示パネルＰＮＬはたとえば基板が樹脂等からなる液晶表示パネルから構成され、その機器本体ＭＣ側の一端は、たとえばフレキシブル基板ＦＬＢを通して機器本体ＭＣに内蔵される制御回路に電気的に接続されるようになっている。ここで、液晶表示パネルからなるフレキシブル表示パネルＰＮＬは、たとえば太陽光等の外来光を利用して表示がなされる反射型によって構成され、いわゆるバックライトと称される光源を具備しないものとなっている。
【００３１】
また、第１筐体ＦＲ１、第３筐体ＦＲ３は、それぞれ、平板状からなっているのに対し、第２筐体ＦＲ２は、前記フレキシブル表示パネルＰＮＬとは反対側の面に、図中ｙ方向に沿った底部を有する凸面を有している。すなわち、第１筐体ＦＲ１、第２筐体ＦＲ２、第３筐体ＦＲ３を、それぞれ、図１（ｂ）に示すように、機器本体ＭＣの第１表面ＳＦ１、第２側面ＳＤ２、第２表面ＳＦ２に対向するように配置させることによって、表示部ＰＤを機器本体ＭＣに巻き込むように配置でき、この際、前記第２筐体ＦＲ２は、第２側面ＳＤ２の凸面に対応できるように上述したような凹面として構成されている。すなわち、前記第２筐体ＦＲ２は、フレキシブル表示パネルＰＮＬと対向する面において、図中ｙ方向に沿った底部を有する凹面となっている。
【００３２】
これにより、フレキシブル表示パネルＰＮＬは、前記機器本体ＭＣと前記１筐体ＦＲ１、第２筐体ＦＲ２、第３筐体ＦＲ３との間に配置され、表示装置内に収納された状態を取り得る。この場合、フレキシブル表示パネルＰＮＬは、機器本体ＭＣの第２側面ＳＤ２と第２筐体ＦＲ２との間に挟まれる部分において、第２側面ＳＤ２の凸面および第２筐体ＦＲ２の凹面に沿って湾曲されるようになる。フレキシブル表示パネルＰＮＬの上述した湾曲は、フレキシブル表示パネルＰＮＬの観察面において凹面となることから、この実施例では、フレキシブル表示パネルＰＮＬの両端部のそれぞれにおいて、観察面が凸面となるように構成されている。これにより、フレキシブル表示パネルＰＮＬの中央部における湾曲による弊害を両端部のそれぞれにおける湾曲によって相殺させるようになっている。
【００３３】
図１（ｂ）の図中点線枠Ａ内に示すように、第１筐体ＦＲ１のフレキシブル表示パネルＰＮＬに対向する面で機器本体ＭＣ側の端辺において、図１（ａ）の図中ｙ方向に相当する方向に延在される斜面ＳＬＰ１が形成されている。この斜面ＳＬＰ１は、機器本体ＭＣ側に近づくにつれて高さが低くなる斜面として形成され、前記フレキシブル表示パネルＰＮＬの端辺はこの斜面上に固定されるようになっている。これにより、フレキシブル表示パネルＰＮＬの第１筐体ＦＲ１上における一方の端辺部は、その観察面において図１（ａ）の図中ｙ方向に相当する方向に沿って頂部を有する凸面が形成されるようになる。同様に、図１（ｂ）の図中点線枠Ｂ内に示すように、第３筐体ＦＲ３のフレキシブル表示パネルＰＮＬに対向する面で機器本体ＭＣから遠ざかる端辺において、図１（ａ）の図中ｙ方向に相当する方向に延在される斜面ＳＬＰ２が形成されている。この斜面ＳＬＰ２は、機器本体ＭＣから遠ざかるにつれて高さが低くなる斜面として形成され、前記フレキシブル表示パネルＰＮＬの端辺はこの斜面上で固定されるようになっている。これにより、フレキシブル表示パネルＰＮＬの第３筐体ＦＲ３上における他方の端辺は、その観察面において図１（ａ）の図中ｙ方向に相当する方向に沿って頂部を有する凸面が形成されるようになる。
【００３４】
このように構成された表示装置は、そのフレキシブル表示パネルＰＮＬを一方の面において凹面となるように湾曲させざるを得ない場合であっても、同じ一方の面の異なる箇所において凸面となるように湾曲させるよう構成していることから、一方の湾曲による弊害を他方の湾曲によって相殺させることができ、フレキシブル表示パネルＰＮＬの屈曲による弊害を回避させることができる。
【実施例２】
【００３５】
図２は、本発明の表示装置の実施例２を示す構成図である。図２は、図１に示した液晶表示パネルからなるフレキシブル表示パネルＰＮＬの断面図を示している。
【００３６】
図２において、フレキシブル表示パネルＰＮＬは、液晶ＬＣを挟持して対向配置される一対の基板ＳＵＢ１、ＳＵＢ２を外囲器とし、液晶ＬＣは基板ＳＵＢ１、ＳＵＢ２の間に形成される環状のシール材ＳＬによって封止され、該シール材ＳＬによって囲まれた領域には前記液晶を一構成要素とする多数の画素（図示せず）が形成されて構成されている。このように構成されるフレキシブル表示パネルＰＮＬは、実施例１の説明からも明らかなように、収納時において、中央部、および各端辺に近接する箇所において湾曲部ＢＤを有するようになる。このため、この湾曲部ＢＤの箇所における基板ＳＵＢ１、ＳＵＢ２のそれぞれに、基板の厚さを小さくするための溝部ＤＮが形成されている。これにより、フレキシブル表示パネルＰＮＬを所定の箇所において湾曲させ易すい構成としている。上述の溝部ＤＮはたとえば選択エッチングによって各基板ＳＵＢ１ＳＵＢ２に形成することができる。
【００３７】
なお、この実施例２は、実施例１に示したフレキシブル表示パネルＰＮＬに適用させたものであるが、後述の実施例３ないし実施例６に示すフレキシブル表示パネルＰＮＬにも適用することができる。
【実施例３】
【００３８】
図３（ａ）、（ｂ）は、本発明の表示装置の実施例３を示す構成図で、それぞれ、図１（ａ）、（ｂ）と対応した図となっている。
【００３９】
図３（ａ）において、表示装置は、機器本体ＭＣと、この機器本体ＭＣに接続されるフレキシブル表示パネルＰＮＬとで構成されている。
【００４０】
機器本体ＭＣは、箱状からなり、フレキシブル表示パネルＦＰＬの各画素を駆動させるための制御回路、およびこの制御回路に電源を供給するための電源等が内蔵されている。機器本体ＭＣにおいて、図１（ａ）の場合と同様、その一つの面を第１表面ＳＦ１、この第１表面ＳＦ１と対向する面を第２表面ＳＦ２、前記第１表面ＳＦ１と前記第２表面ＳＦ２との間の面のうち一つの面を第１側面ＳＤ１、この第１側面ＳＤ１と対向する面を第２側面ＳＤ２とした場合、前記第１側面ＳＤ１および第２側面ＳＤ２は、それぞれ、図中ｙ方向に沿って頂部を有する凸面となっている。なお、図中ｙ方向は、フレキシブル表示パネルＰＮＬの前記第１機器本体ＭＣに接続される一端辺に沿った方向に一致づけられている。また、前記第１表面ＳＦの中央部において図中ｙ方向に延在する突起部ＰＪが形成されている。突起部ＰＪは、その延在方向（図中ｙ方向）に沿って形成される一対の側壁面ＳＤＷ１、ＳＤＷ２を有し、これら側壁面ＳＤＷ１、ＳＤＷ２は、それぞれ、前記ｙ方向に沿って底部を有する凹面となっている。
【００４１】
前記フレキシブル表示パネルＰＮＬは、その一端辺がフレキシブル基板ＦＬＢを介して前記突起部ＰＪの頂部に接続され、前記突起部ＰＪの一方の側壁面ＳＤＷ１、さらに、前記側壁面ＳＤＷ１側の機器本体ＭＣの第１表面ＳＦに沿って図中ｘ方向へ延在された状態で配置されている。この場合のフレキシブル表示パネルＰＮＬは平面状になるように配置でき、フレキシブル表示パネルＰＮＬの表示面を観察することができるようになっている。
【００４２】
また、フレキシブル表示パネルＰＮＬは、その収納時において、図３（ｂ）に示すように、機器本体ＭＣに回巻させるように配置され、その他方の端辺部（機器本体ＭＣに接続される端辺と反対側の端辺部）は前記突起部ＰＪの側壁面ＳＤＷ２に当接させた状態で固定されるようになっている。
【００４３】
この場合、フレキシブル表示パネルＰＮＬは、機器本体ＭＣの第１側面ＳＤ１、第１側面ＳＤ２と対向する部分において、表示面側が凸面となる湾曲がなされるようになる。しかし、フレキシブル表示パネルＰＮＬの機器本体ＭＣとの接続がなされる一端辺、この一端辺と反対側の他端辺は、それぞれ、突起部ＰＪの側壁面ＳＤＷ１、ＳＤＷ２に当接され、表示面側が凹面となる湾曲がなされるようになる。
【００４４】
したがって、このように構成された表示装置も、フレキシブル表示パネルＰＮＬの屈曲による弊害を回避させることができる。
【実施例４】
【００４５】
図４（ａ）、（ｂ）は、本発明の表示装置の実施例４を示す構成図で、それぞれ、図３（ａ）、（ｂ）と対応した図となっている。
【００４６】
図４において、図３の場合と比較して異なる構成は、機器本体ＭＣの突起部ＰＪの形成が第２側面ＳＤ２においてなされていることにある。
【００４７】
そして、突起部ＰＪの側壁面ＳＤＷ１、ＳＤＷ２が図中ｙ方向に沿って底部を有する凹面が形成され、フレキシブル表示パネルＰＮＬの一端辺がフレキシブル基板ＦＬＢを介して前記突起部ＰＪの頂部に接続されていることは図３の場合と同様となっている。
【００４８】
このように構成した場合、フレキシブル表示パネルＰＮＬを機器本体ＭＣに収納させた状態を示す側面図である図３（ｂ）に示すように、フレキシブル表示パネルＰＮＬは、機器本体ＭＣの第１側面ＳＤ１、第２側面ＳＤ２と対向する部分において、表示面側が凸となる湾曲がなされるようになる。しかし、フレキシブル表示パネルＰＮＬの機器本体ＭＣとの接続がなされる一端辺、この一端辺と反対側の他端辺は、それぞれ、突起部ＰＪの側壁面ＳＤＷ１、ＳＤＷ２に当接され、表示面側が凹面となる湾曲がなされるようになる。
【００４９】
したがって、このように構成された表示装置も、フレキシブル表示パネルＰＮＬの屈曲による弊害を回避させることができる。
【実施例５】
【００５０】
図５（ａ）、（ｂ）は、本発明の表示装置の実施例５を示す構成図で、それぞれ、図１（ａ）、（ｂ）と対応した図となっている。
【００５１】
図５（ａ）において、表示装置は、第１機器本体ＭＣ１と、一端辺において前記第１機器本体ＭＣ１に回転可能に接続されるフレキシブル表示パネルＰＮＬと、このフレキシブル表示パネルＰＮＬの他端部であって観察面と反対側の面に固定された第２機器本体ＭＣ２とから構成されている。
【００５２】
機器本体ＭＣは、箱状からなり、フレキシブル表示パネルＦＰＬの各画素を駆動させるための制御回路（図示せず）、およびこの制御回路に電源を供給するための電源（図示せず）等が内蔵されている。フレキシブル表示パネルＰＮＬの一端辺はフレキシブル基板ＦＬＢを介して第１機器本体ＭＣ１の側面に接続されている。これにより、フレキシブル表示パネルＰＮＬはフレキシブル基板ＦＬＢの屈曲によって第１機器本体ＭＣ１に対して回転可能に接続されるようになっている。なお、第１機器本体ＭＣ２は、制御回路が内蔵されていてもよく、また、内蔵されていなくてもよい。
【００５３】
ここで、前記第１機器本体ＭＣ１において、その一つの面を第１表面ＳＦ１、この第１表面と対向する面を第２表面ＳＦ２、前記フレキシブル表示パネルＰＮＬが接続される側面を第１側面ＳＤ１、この第１側面ＳＤ１と対向する面を第２側面ＳＤ２とした場合、第１側面ＳＤ１はたとえば平坦面となっているが、第２側面ＳＤ２は図中ｙ方向に沿って頂部を有する凸面となっている。なお、図中ｙ方向は、フレキシブル表示パネルＰＮＬの前記第１機器本体ＭＣ１に接続される一端辺に沿った方向に一致づけられている。
【００５４】
また、前記第２機器本体ＭＣ２において、前記フレキシブル表示パネルＰＮＬを固定する面を第１表面ＳＦ１'、この第１表面ＳＦ１'と対向する面を第２表面ＳＦ２'、前記第１表面ＳＦ１'と前記第２表面ＳＦ２'との間の面のうち前記フレキシブル表示パネルＰＮＬの他端側の側面を第１側面ＳＤ１'、この第１側面ＳＤ１'と対向する面を第２側面ＳＤ１'とした場合、第１側面ＳＤ１'は平坦面となっているが、第２側面ＳＤ２'は図中ｙ方向に沿って頂部を有する凸面となっている。
【００５５】
このように構成される表示装置は、図５（ｂ）に示すように、フレキシブル表示パネルＰＮＬを収納させることができる。すなわち、たとえば、図５（ａ）に示すように、第１機器本体ＭＣ１を図中矢印方向に回転させ、フレキシブル表示パネルＰＮＬの観察面は、第１機器本体ＭＣ１の第１表面ＳＦ１、第２側面ＳＤ２、第２表面ＳＦ２に当接し、前記フレキシブル表示パネルの観察面と反対側の面は、第２機器本体ＭＣ２の第２側面ＳＤ２'、第２表面ＳＦ２'に当接されて前記第２機器本体ＭＣ２が前記第１機器本体ＭＣ１に重ねて配置される状態を取り得るようになっている。
【００５６】
このように構成された表示装置は、図５（ｂ）から明らかなように、フレキシブル表示パネルＰＮＬは、その観察面が第１機器本体ＭＣ１の第２側面ＳＤ２によって凹面となるように湾曲されるようになっても、観察面と反対側の面において第２機器本体ＭＣ２の第２側面ＳＤ２'によって凹面となるように湾曲されるようになる。したがって、一方の湾曲による弊害を他方の湾曲によって相殺させる構成となっており、フレキシブル表示パネルＰＮＬの屈曲による弊害を回避させることができる。
【００５７】
なお、この実施例５において、フレキシブル表示パネルＰＮＬの収納時に、図５に示すようにフレキシブル表示パネルＰＮＬの観察面の一部（図中符号ＡＲで示す）が第２機器本体ＭＣ２上において露出される構成となる。このため、この部分において時刻表示等の表示を行うように構成するようにしてもよい。
【実施例６】
【００５８】
図６（ａ）、（ｂ）は、本発明の表示装置の実施例６を示す構成図で、それぞれ、図１（ａ）、（ｂ）と対応した図となっている。
【００５９】
図６（ａ）において、表示装置は、機器本体ＭＣと、この機器本体ＭＣに一端辺が接続されたフレキシブル表示パネルＰＮＬと、前記機器本体ＭＣに回転可能に取り付けられたカバーＣＶＲとで構成されている。
【００６０】
機器本体ＭＣは箱状からなり、フレキシブル表示パネルＦＰＬの各画素を駆動させるための制御回路（図示せず）、およびこの制御回路に電源を供給するための電源（図示せず）等が内蔵されている。
【００６１】
前記機器本体ＭＣにおいて、その一つの面を第１表面ＳＦ１、この第１表面ＳＦ１と対向する面を第２表面ＳＦ２、前記第１表面ＳＦ１と前記第２表面ＳＦ２との間の面のうち一つの面を第１側面ＳＤ１、この第１側面ＳＤ１と対向する面を第２側面ＳＤ２とした場合、前記第１表面ＳＦ１と第２表面ＳＦ２は、それぞれ、図中ｙ方向に沿った底部を有する凹面が形成され、また、前記第２側面ＳＤ２は、図中ｙ方向に沿った頂部を有する凸面が形成されている。
【００６２】
フレキシブル表示パネルＰＮＬは、その一端辺において前記機器本体ＭＣの第１表面ＳＦ１と第１側面ＳＤ１の境界部にフレキシブル基板ＦＬＢを介して接続されている。フレキシブル表示パネルＰＮＬは機器本体ＭＣ上に該機器本体ＭＣからはみ出すように平板状に配置され、表示を観察することができるようになっている。
【００６３】
カバーＣＶＲは、その一端辺において前記機器本体ＭＣの第１側面ＳＤ１と第２表面ＳＦ２の境界部に回転可能に接続されている。また、カバーＣＶＲは、前記機器本体ＭＣ側から、回転可能に順次連結された第１カバー部ＣＶ１、第２カバー部ＣＶ２、第３カバー部ＣＶ３とから構成され、それぞれ、前記機器本体ＭＣの第１表面ＳＦ１、第２側面ＳＤ２、第２表面ＳＦ２と対向して配置できるとともに、前記第２カバーＣＶ２は前記第２側面ＳＦ２の凸面に対応した凹面を有して形成されている。
【００６４】
このように構成される表示装置は、図６（ｂ）に示すように、フレキシブル表示パネルＰＮＬを収納させることができる。すなわち、フレキシブル表示パネルＰＮＬを、機器本体ＭＣの第１表面ＳＦ１、第２側面ＳＤ２、第２表面ＳＦ２に沿って前記機器本体ＭＣを巻き込んで配置する。そして、カバーＣＶＲを、その第１カバー部ＣＶ１、第２カバー部ＣＶ２、第３カバー部ＣＶ３が、それぞれ、機器本体ＭＣの第１表面ＳＦ１、第２側面ＳＤ２、第２表面ＳＦ２に対向するように回転させる。
【００６５】
この場合、フレキシブル表示パネルＰＮＬは、機器本体ＭＣの第１表面ＳＲＦ１とカバーＣＶＲの第１カバー部ＣＶ１の間および機器本体ＭＣの第２表面ＳＲＦ２とカバーＣＶＲの第２カバー部ＣＶ２の間において、観察面が凹面となるように湾曲されるようになる。
【００６６】
このため、フレキシブル表示パネルＰＮＬが、機器本体ＭＣの第２側面ＳＤ２とカバーＣＶＲの第２カバー部ＣＶ２の間において、観察面が凸面となるように湾曲されるようなことがあっても、上述のように観察面において凹面となる湾曲を形成させることにより、一方の湾曲による弊害を他方の湾曲によって相殺させる構成とでき、フレキシブル表示パネルＰＮＬの屈曲による弊害を回避させることができる。
【実施例７】
【００６７】
上述した実施例におけるフレキシブル表示パネルＰＮＬは液晶表示パネルを例に挙げて説明したものである。しかし、たとえば、有機ＥＬ表示パネルにおいても有機ＥＬ素子を形成する基板と前記有機ＥＬ素子を封止すための基板を対向配置させて構成するようになっており、これら基板においてフレキシブル性をもたせた場合に同様な課題が生じる。したがって、本発明はフレキシブル表示パネルＰＮＬとして有機ＥＬ表示パネルを用いた場合にも適用することができる。また、同様の理由で電子ペーパーを用いた場合にも適用することができる。
【００６８】
以上、本発明を実施例を用いて説明してきたが、これまでの各実施例で説明した構成はあくまで一例であり、本発明は、技術思想を逸脱しない範囲内で適宜変更が可能である。また、それぞれの実施例で説明した構成は、互いに矛盾しない限り、組み合わせて用いてもよい。
【符号の説明】
【００６９】
ＭＣ、ＭＣ１、ＭＣ２……機器本体、ＳＦ１、ＳＦ２、ＳＦ１'、ＳＦ２'……表面、ＳＤ１、ＳＤ２、ＳＤ１'、ＳＤ２'……側面、ＰＤ……表示部、ＰＮＬ……フレキシブル表示パネル、ＦＲ１、ＦＲ２、ＦＲ３……筐体、ＦＬＢ……フレキシブル基板、ＳＬＰ１、ＳＬＰ２……斜面、ＳＵＢ１、ＳＵＢ２……基板、ＳＬ……シール材、ＬＣ……液晶、ＢＤ……湾曲部、ＤＮ……溝部、ＰＪ……突起部、ＳＤＷ１、ＳＤＷ２……側壁面、ＣＶＲ……カバー、ＣＶ１、ＣＶ２、ＣＶ３……カバー部。
【図１】
2010256660.tif 000003
【図２】
2010256660.tif 000004
【図３】
2010256660.tif 000005
【図４】
2010256660.tif 000006
【図５】
2010256660.tif 000007
【図６】
2010256660.tif 000008